(57)【要約】【課題】浴槽の上に載置されたときの厚さを薄く見せつつ、大きく変形する力が加わっても浴槽内への落下を防止することができる風呂蓋を提供することを目的とする。【解決手段】上方からみたときの平面視において矩形状の内側縁を有する浴槽の上方を覆うことが可能な矩形状の風呂蓋であって、前記風呂蓋は、周囲の底面を中央部の底面よりも高くすることにより前記浴槽の開口縁部に係合可能とされた係合部を有し、前記係合部の底面の摩擦係数は、前記中央部の底面の摩擦係数よりも高いことを特徴とする風呂蓋が提供される。【選択図】図１
2013192812.tif 000002
【特許請求の範囲】
【請求項１】
上方からみたときの平面視において矩形状の内側縁を有する浴槽の上方を覆うことが可能な矩形状の風呂蓋であって、
前記風呂蓋は、周囲の底面を中央部の底面よりも高くすることにより前記浴槽の開口縁部に係合可能とされた係合部を有し、
前記係合部の底面の摩擦係数は、前記中央部の底面の摩擦係数よりも高いことを特徴とする風呂蓋。
【請求項２】
前記係合部の前記底面は、前記浴槽のリム部から前記開口縁部にわたる部分に沿う曲面形状を有することを特徴とする請求項１記載の風呂蓋。
【請求項３】
前記浴槽の短辺側の開口縁部と接触する係合部の底面の摩擦係数は、前記浴槽の長辺側の開口縁部と接触する係合部の底面の摩擦係数よりも低いことを特徴とする請求項１または２に記載の風呂蓋。
【発明の詳細な説明】
【技術分野】
【０００１】
本発明の態様は、一般的に、浴槽の上に載せる風呂蓋に関する。
【背景技術】
【０００２】
昨今の環境的な意識の高まりを受けて、浴槽内に張った湯の保温性を高めることが大きな課題の一つになっている。この課題に対応して、保温性に大きな影響のある風呂蓋についても、高い断熱性が求められている。
【０００３】
断熱性の高い風呂蓋としては、従来から表裏の樹脂面材の間に断熱材を挟む、または充填したものなどが用いられている。  
一般的に、断熱材を有する風呂蓋の厚さは、断熱材を有していない風呂蓋の厚さよりも厚い。そのため、断熱材を有する風呂蓋を浴槽の上に載せると、風呂蓋の厚みが目立ち不格好となる。そこで、浴槽の開口縁部に載置され浴槽を閉塞することのできる風呂蓋であって、下面に浴槽の開口縁部と係合可能な係合部を設けた風呂蓋がある（特許文献１）。特許文献１に記載された風呂蓋によれば、風呂蓋の周縁部を薄くし、浴槽の上面に風呂蓋を載せたときの風呂蓋の厚みが目立たないようにすることができる。
【０００４】
しかし、風呂蓋の周縁部に単に係合部を設けるだけでは、風呂蓋が撓りやすい場合には、風呂蓋の浴槽内への落下を防止できない場合がある。一方、風呂蓋の表面の全体を比較的高い摩擦係数を有する面とすると、浴槽の上に載置する際に、風呂蓋をスライドさせ難くなり取り扱いが困難となる場合がある。
【先行技術文献】
【特許文献】
【０００５】
【特許文献１】特開２００７−１９０１６５号公報
【発明の概要】
【発明が解決しようとする課題】
【０００６】
本発明は、かかる課題の認識に基づいてなされたものであり、浴槽の上に載置されたときの厚さを薄く見せつつ、大きく変形する力が加わっても浴槽内への落下を防止することができる風呂蓋を提供することを目的とする。
【課題を解決するための手段】
【０００７】
第１の発明は、上方からみたときの平面視において矩形状の内側縁を有する浴槽の上方を覆うことが可能な矩形状の風呂蓋であって、前記風呂蓋は、周囲の底面を中央部の底面よりも高くすることにより前記浴槽の開口縁部に係合可能とされた係合部を有し、前記係合部の底面の摩擦係数は、前記中央部の底面の摩擦係数よりも高いことを特徴とする風呂蓋である。
【０００８】
この風呂蓋によれば、浴槽の開口縁部に係合する係合部は、中央部の底面から後退して形成されている。そのため、風呂蓋が浴槽の上面に載置されると、風呂蓋の中央部が浴槽内に配設される。そのため、風呂蓋は、浴槽の上面に載置されたときの厚さを薄く見せることができる。また、浴槽の開口縁部と接触する係合部は、風呂蓋の中央部の底面よりも高い摩擦係数を有する。そのため、係合部は、風呂蓋が浴槽の上面においてずれることを抑制し、浴槽をより確実に密閉することができる。また、係合部は、風呂蓋の上方から荷重がかかった場合でも、風呂蓋が浴槽内に滑り落ちることを防止することができる。
【０００９】
また、高い摩擦係数を有する部位は、風呂蓋の下面の中央部から上面の側へ後退した周縁部である。そのため、使用者が風呂蓋を浴槽の上面に載置させる際に風呂蓋の端部を浴槽の上面に接触させたまま移動（スライド）させても、風呂蓋が浴槽の上面に引っ掛かることはない。そのため、使用者は、浴槽の上面で風呂蓋をスライドさせやすく、風呂蓋の位置合わせを容易に行うことができる。つまり、風呂蓋の取り扱いが容易となる。
【００１０】
また、第２の発明は、第１の発明において、前記係合部の前記底面は、前記浴槽のリム部から前記開口縁部にわたる部分に沿う曲面形状を有することを特徴とする風呂蓋である。
【００１１】
この風呂蓋によれば、風呂蓋の上方から荷重がかかり、風呂蓋が撓り始めても、係合部は、浴槽のリム部の上面から開口縁部にわたる部分と面として接触し続けることができる。これにより、風呂蓋が浴槽内に滑り落ちることをより確実に防止することができる。
【００１２】
また、第３の発明は、第１または第２の発明において、前記浴槽の短辺側の開口縁部と接触する係合部の底面の摩擦係数は、前記浴槽の長辺側の開口縁部と接触する係合部の底面の摩擦係数よりも低いことを特徴とする風呂蓋である。
【００１３】
この風呂蓋によれば、使用者は、浴槽の横の壁に立て掛けた状態あるいは引っ掛け具などに吊した状態の風呂蓋を浴槽の上面に降ろして容易にスライドさせることができる。そのため、使用者が風呂蓋を浴槽の上面に載置させる際の取り扱いが容易となる。
【発明の効果】
【００１４】
本発明の態様によれば、浴槽の上に載置されたときの厚さを薄く見せつつ、大きく変形する力が加わっても浴槽内への落下を防止することができる風呂蓋が提供される。
【図面の簡単な説明】
【００１５】
【図１】本発明の実施の形態にかかる風呂蓋を表す模式図である。
【図２】本発明の実施の形態にかかる風呂蓋を表す模式図である。
【図３】本実施形態にかかる風呂蓋を斜め下方から眺めた模式的斜視図である。
【図４】本実施形態にかかる風呂蓋が浴槽に置かれた状態を上方から眺めた模式的平面図である。
【図５】本実施形態の比較例にかかる風呂蓋を表す模式的断面図である。
【図６】本実施形態の変形例にかかる風呂蓋を表す模式的断面図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１および図２は、本発明の実施の形態にかかる風呂蓋を表す模式図である。    
なお、図１（ａ）は、風呂蓋１１０が浴槽３００に置かれた状態を例示する模式的斜視図である。図１（ｂ）は、図１（ａ）に表したＡ−Ａ線の模式的断面図である。  
図２（ａ）は、風呂蓋１１０が浴槽３００に置かれた状態を例示する図１（ａ）に表したＡ−Ａ線の模式的断面図である。図２（ｂ）は、図２（ａ）に表した範囲Ａ１における模式的拡大図である。
【００１７】
図１（ａ）に表したように、本実施形態に係る風呂蓋１１０は、浴槽３００のリム部３１０における上面３１１に載せられる平板状の蓋である。  
風呂蓋１１０は、浴槽３００の開口３０１を塞いで浴槽内３０２に張られた湯Ｗの熱が外へ逃げることを防ぐ。例えば上方からみたときの平面視において、風呂蓋１１０は、略矩形状を呈し、略矩形状の内側縁３０３を有する浴槽３００の上方を覆うことができる。浴槽３００は、底部３３０及び側壁３２０によって浴槽内３０２の空間が形成され、側壁３２０の上端から外方にリム部３１０が設けられた構成になっている。
【００１８】
風呂蓋１１０は、対向する側壁３２０の上端に設けられたリム部３１０の上面３１１に渡されるように配置される。浴槽３００には、開口３０１の全体を塞ぐため、１枚または複数枚の風呂蓋１１０が用意される。図１（ａ）に表した例では、浴槽３００に２つの風呂蓋１１０が並べて配置され、これらの風呂蓋１１０によって開口３０１の全体が覆われる。
【００１９】
風呂蓋１１０は、浴槽３００の上面３１１に載置されたときに、浴槽３００に面する下面側表皮材１０と、下面側表皮材１０と対向し浴槽３００とは反対の側に設けられる上面側表皮材２０と、を備える。また、風呂蓋１１０は、上面側表皮材２０と、下面側表皮材１０と、のあいだに設けられた芯材３０を備える。下面側表皮材１０および上面側表皮材２０は、伸縮性を有する。芯材３０は、例えば合成樹脂発泡体などにより形成され、断熱性を有する。
【００２０】
図２（ａ）および図２（ｂ）に表したように、風呂蓋１１０の周囲（周縁）には、浴槽３００の内側縁（開口縁部）３０３と係合可能な係合部１１０ｒが形成されている。係合部１１０ｒは、風呂蓋１１０の周囲の底面を中央部１１０ｃの底面よりも高くすることにより形成されている。係合部１１０ｒの底面１１１は、風呂蓋１１０の中央部１１０ｃの底面１１３から上方（上面側表皮材２０の側）へ後退している。そのため、風呂蓋１１０が浴槽３００の上面３１１に載置されると、本実施形態にかかる風呂蓋１１０の中央部１１０ｃは、浴槽３００の上面３１１よりも下方すなわち浴槽内３０２に配設される。本実施形態にかかる風呂蓋１１０は、例えば「半落とし込み式風呂蓋」などということができる。
【００２１】
係合部１１０ｒは、底面１１１に設けられた高摩擦材４０を有する。高摩擦材４０は、下面側表皮材１０と一体的に成形されていてもよいし、例えば印刷などにより係合部１１０ｒの底面１１１に付設されていてもよい。
【００２２】
高摩擦材４０は、例えばゴムあるいはエラストマなどにより形成されている。高摩擦材４０の摩擦係数は、中央部１１０ｃの底面１１３の摩擦係数よりも高い。つまり、係合部１１０ｒの底面の摩擦係数は、中央部１１０ｃの底面１１３の摩擦係数よりも高い。
【００２３】
本実施形態によれば、風呂蓋１１０が浴槽３００の上面３１１に載置されると、風呂蓋１１０の中央部１１０ｃが浴槽内３０２に配設される。そのため、風呂蓋１１０は、浴槽３００の上面３１１に載置されたときの厚さを薄く見せることができる。また、浴槽３００の内側縁３０３と接触する係合部１１０ｒの底面は、風呂蓋１１０の他の部分よりも高い摩擦係数を有する。そのため、係合部１１０ｒは、風呂蓋１１０が浴槽３００の上面３１１においてずれることを抑制し、浴槽３００をより確実に密閉することができる。また、係合部１１０ｒは、風呂蓋１１０の上方から荷重がかかった場合でも、風呂蓋１１０が浴槽内３０２に滑り落ちることを防止することができる。
【００２４】
また、図１（ｂ）、図２（ａ）、および図２（ｂ）に表したように、係合部１１０ｒは、浴槽３００のリム部３１０の上面３１１から内側縁３０３にわたる部分に沿う曲面形状を有する。そのため、風呂蓋１１０の上方から荷重がかかり、風呂蓋１１０が撓り始めても、係合部１１０ｒの高摩擦材４０は、リム部３１０の上面３１１から内側縁３０３にわたる部分と面として接触し続けることができる。これにより、風呂蓋１１０が浴槽内３０２に滑り落ちることをより確実に防止することができる。
【００２５】
図３は、本実施形態にかかる風呂蓋を斜め下方から眺めた模式的斜視図である。  
また、図４は、本実施形態にかかる風呂蓋が浴槽に置かれた状態を上方から眺めた模式的平面図である。  
また、図５は、本実施形態の比較例にかかる風呂蓋を表す模式的断面図である。  
なお、図４に表した二点鎖線は、風呂蓋１１０の中央部１１０ｃと、風呂蓋１１０の係合部１１０ｒと、の間の境界部１１５を表している。また、図５は、図１（ａ）に表したＡ−Ａ線の模式的断面図に相当する。
【００２６】
まず、図５に表した比較例にかかる風呂蓋１２０について説明する。  
本比較例にかかる風呂蓋１２０は、芯材１２１と、高摩擦材１２３と、を備える。高摩擦材１２３は、芯材１２１の周囲（周縁）を覆うように設けられている。高摩擦材１２３は、本実施形態にかかる風呂蓋１１０の高摩擦材４０と同様に、例えばゴムあるいはエラストマなどにより形成されている。高摩擦材１２３の摩擦係数は、芯材１２１の摩擦係数よりも高い。
【００２７】
本比較例の風呂蓋１２０の周縁には、本実施形態にかかる風呂蓋１１０のようには、浴槽３００の内側縁３０３と係合可能な係合部が形成されていない。つまり、本比較例の風呂蓋１２０は、例えば「半落とし込み式風呂蓋」などと呼ばれるものではない。そのため、図５に表したように、風呂蓋１２０が浴槽３００の上面３１１に載置されると、高摩擦材１２３は、浴槽３００の上面３１１と接触する。そのため、例えば図４に表した矢印Ａ１１のように、使用者が風呂蓋１２０を浴槽３００の上面３１１に載置させる際に風呂蓋１２０の端部（高摩擦材１２３）を浴槽３００の上面３１１に接触させたまま移動（スライド）させると、風呂蓋１２０が浴槽３００の上面３１１に引っ掛かる場合がある。これにより、風呂蓋１２０の位置合わせが困難となる場合がある。
【００２８】
これに対して、本実施形態にかかる風呂蓋１１０では、図３に表したように、風呂蓋１１０の中央部１１０ｃの底面１１３から上方へ後退した係合部１１０ｒの底面１１１に高摩擦材４０が設けられている。高摩擦材４０は、係合部１１０ｒの底面１１１の全体（全面）に設けられていてもよく、係合部１１０ｒの底面１１１の一部分に設けられていてもよい。
【００２９】
これによれば、高摩擦材４０が設けられた部位は、風呂蓋１１０の下面（裏面）の中央部１１０ｃから上面の側へ後退した周縁部である。言い換えれば、図２（ｂ）に表したように、高摩擦材４０は、風呂蓋１１０の端部１１７と、風呂蓋１１０の中央部１１０ｃと風呂蓋１１０の係合部１１０ｒとの間の境界部１１５（図４参照）と、を結んだ仮想線（二点鎖線）１１９よりも内側（底面１１１の側）に設けられている。そのため、浴槽３００に蓋をする際には、風呂蓋１１０を斜めに傾ければ、例えば図４に表した矢印Ａ１１のように、使用者が風呂蓋１１０を浴槽３００の上面３１１に載置させる際に風呂蓋１１０の端部を浴槽３００の上面３１１に接触させたまま移動（スライド）させても、風呂蓋１１０が浴槽３００の上面３１１に引っ掛かることはない。そのため、使用者は、浴槽３００の上面３１１で風呂蓋１１０をスライドさせやすく、風呂蓋１１０の位置合わせを容易に行うことができる。つまり、風呂蓋１１０の取り扱いが容易となる。
【００３０】
また、本実施形態にかかる風呂蓋１１０では、浴槽３００の短辺側３１７の内側縁３０３と接触する係合部１１０ｓの摩擦係数は、浴槽３００の長辺側３１５の内側縁３０３と接触する係合部１１０ｌの摩擦係数よりも低くともよい。つまり、浴槽３００の短辺側３１７の内側縁３０３と接触する高摩擦材４７の摩擦係数は、浴槽３００の長辺側３１５の内側縁３０３と接触する高摩擦材４５の摩擦係数よりも低くともよい。
【００３１】
これによれば、例えば図４に表した矢印Ａ１１のように、使用者は、浴槽３００の横の壁に立て掛けた状態あるいは図示しない引っ掛け具などに吊した状態の風呂蓋１１０を浴槽３００の上面３１１に降ろして容易にスライドさせることができる。そのため、使用者が風呂蓋１１０を浴槽３００の上面３１１に載置させる際の取り扱いが容易となる。
【００３２】
図６は、本実施形態の変形例にかかる風呂蓋を表す模式的断面図である。  
なお、図６は、図２（ａ）に表した範囲Ａ１における模式的拡大図に相当する。
【００３３】
図１〜図３に関して前述した風呂蓋１１０では、高摩擦材４０が係合部１１０ｒの底面１１１の一部分に設けられている一方で、図６に表したように、本変形例にかかる風呂蓋１３０では、高摩擦材５０は、係合部１３０ｒの底面１３１の全体（全面）に設けられている。
【００３４】
本変形例にかかる風呂蓋１３０では、浴槽３００の短辺側３１７（図４参照）の内側縁３０３と接触する係合部１３０ｒの摩擦係数は、浴槽３００の長辺側３１５（図４参照）の内側縁３０３と接触する係合部１３０ｒの摩擦係数よりも低い。つまり、浴槽３００の短辺側３１７の内側縁３０３と接触する高摩擦材５０の摩擦係数は、浴槽３００の長辺側３１５の内側縁３０３と接触する高摩擦材５０の摩擦係数よりも低い。  
なお、風呂蓋１３０のその他の構造は、図１〜図３に関して前述した風呂蓋１１０の構造と同様である。
【００３５】
本変形例によれば、高摩擦材５０と、浴槽３００の内側縁３０３と、の接触面積をより広くすることで、浴槽３００の密閉性を向上させたり、風呂蓋１１０が浴槽内３０２に滑り落ちることをより確実に防止することができる。また、高摩擦材５０が係合部１３０ｒの底面１３１の全面に設けられていることで、浴槽３００に蓋をする際に、浴槽３００の短辺側３１７の内側縁３０３と接触する係合部１３０ｒが浴槽３００の上面に接触するように風呂蓋１１０を斜めに傾けて、風呂蓋１１０を浴槽３００の上面３１１においてスライドさせる場合でも、例えば図４に表した矢印Ａ１１のように、使用者は、浴槽３００の上面３１１を容易にスライドさせることができる。そのため、使用者が風呂蓋１１０を浴槽３００の上面３１１に載置させる際の取り扱いが容易となる。
【００３６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、風呂蓋１１０、１３０などが備える各要素の形状、寸法、材質、配置などや係合部１１０ｒ、１３０ｒおよび高摩擦材４０、５０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００３７】
１０ 下面側表皮材、  ２０ 上面側表皮材、  ３０ 芯材、  ４０、４５、４７、５０ 高摩擦材、  １１０ 風呂蓋、  １１０ｃ 中央部、  １１０ｌ、１１０ｒ、１１０ｓ 係合部、  １１１、１１３ 底面、  １１５ 境界部、  １１７ 端部、  １１９ 仮想線、  １２０ 風呂蓋、  １２１ 芯材、  １２３ 高摩擦材、  １３０ 風呂蓋、  １３０ｒ 係合部、  １３１ 底面、  ３００ 浴槽、  ３０１ 開口、  ３０２ 浴槽内、  ３０３ 内側縁、  ３１０ リム部、  ３１１ 上面、  ３１５ 長辺側、  ３１７ 短辺側、  ３２０ 側壁、  ３３０ 底部
【図１】
2013192812.tif 000003
【図２】
2013192812.tif 000004
【図３】
2013192812.tif 000005
【図４】
2013192812.tif 000006
【図５】
2013192812.tif 000007
【図６】
2013192812.tif 000008